(57)【要約】【課題】子供が容易に開蓋することができないというチャイルドプルーフ機能を有する安全蓋付き容器を提供する。【解決手段】胴部６から、左右一対の平行な側壁部１６を含む口筒部８を起立する容器体２と、上記口筒部８の外面に着脱自在に嵌合した安全蓋３２とを具備し、上記側壁部１６の一方又は双方に、全体として上下方向に延びる案内溝２４を、かつ上記安全蓋３２の内面の対応箇所に、安全蓋の着脱の際に上記案内溝２４内を案内されるスライド凸部４２をそれぞれ形成し、案内溝２４の長手方向一部を、前後方向に曲がる蛇行部２４として、蛇行部に沿ってスライド凸部４２を動かさないと開蓋できないように設けた。【選択図】図１
2010083513.tif 000002
【特許請求の範囲】
【請求項１】
胴部６から、左右一対の平行な側壁部１６を含む口筒部８を起立する容器体２と、
上記口筒部８の外面に着脱自在に嵌合した安全蓋３２とを具備し、
上記側壁部１６の一方又は双方に、全体として上下方向に延びる案内溝２０を、かつ上記安全蓋３２の内面の対応箇所に、安全蓋の着脱の際に上記案内溝２０内を案内されるスライド凸部４２をそれぞれ形成し、
案内溝２０の長手方向一部を、前後方向に曲がる蛇行部２４として、蛇行部に沿ってスライド凸部４２を動かさないと開蓋できないことを特徴とする、安全蓋付き容器。
【請求項２】
上記案内溝２０は、長手方向の下端部２２ａを垂直方向への直溝状とするとともに、この下端部と連続して上記蛇行部２４を形成し、
案内溝２０の下端部２２ａ内にスライド凸部４２を嵌合させたときに、上記安全蓋３２が口筒部８の下部にフィットするように構成したことを特徴とする、請求項１記載の安全蓋付き容器。
【請求項３】
上記口筒部８の前壁部１８及び後壁部１９に比べて上記側壁部１６を巾広とするとともに、それら前壁部１８及び後壁部１９の一方に、少なくとも上記蛇行部２４の前後方向への蛇行巾ｄと同じだけ段差状に内方へ凹ませた凹み部２８を形成し、
この凹み部の段差面３０の高さを、安全蓋３２の下端が段差面と等高となるまで安全蓋３２を引き上げたときに、上記スライド凸部４２が案内溝の下端部２２ａを経て蛇行部２４内に入るように設計したことを特徴とする、請求項１又は請求項２記載の安全蓋付き容器。
【請求項４】
上記口筒部８の外面と、上記安全蓋３２の内面の対応箇所とに、閉蓋時に相互に係合して閉蓋状態を保持するための係合手段２６、４４を形成し、
これら係合手段２６、４４の位置を、上記スライド凸部４２が蛇行部２４から案内溝下端部２２ａ内に入ったときに、係合手段２６、４４同士が係合するように設計したことを特徴とする、請求項２又は請求項３記載の安全蓋付き容器。
【発明の詳細な説明】
【技術分野】
【０００１】
本発明は、安全蓋付き容器、特に錠剤などを収納するのに適し、かつ子供が悪戯をして開けることを困難にする機能（チャイルドプルーフ機能という）を有する安全蓋付き容器に関する。
【背景技術】
【０００２】
蓋付き容器として、上面開口の箱型の容器体と、この容器体の上端の一箇所に枢着された蓋板とからなり、蓋板の枢着箇所付近に形成されたレバーを押すと、蓋板が開くように構成した粒状物収納ケースが知られている。
【特許文献１】特許３７７３０２９号
【発明の開示】
【発明が解決しようとする課題】
【０００３】
特許文献１の容器では、比較的簡単に開蓋することができるため、医薬品などを収納した場合に、子供があけて菓子と間違って誤飲する可能性があった。
【０００４】
本発明の第１の目的は、子供が容易に開蓋することができないというチャイルドプルーフ機能を有する安全蓋付き容器を提供することにある。
【０００５】
本発明の第２の目的は、比較的簡易な構成で、上記チャイルドプルーフ機能を実現するとともに、大人にとって使い勝手がよい安全蓋付き容器を提供することにある。
【課題を解決するための手段】
【０００６】
第１の手段は、
胴部６から、左右一対の平行な側壁部１６を含む口筒部８を起立する容器体２と、
上記口筒部８の外面に着脱自在に嵌合した安全蓋３２とを具備し、
上記側壁部１６の一方又は双方に、全体として上下方向に延びる案内溝２０を、かつ上記安全蓋３２の内面の対応箇所に、安全蓋の着脱の際に上記案内溝２０内を案内されるスライド凸部４２をそれぞれ形成し、
案内溝２０の長手方向一部を、前後方向に曲がる蛇行部２４として、蛇行部に沿ってスライド凸部４２を動かさないと開蓋できないことを特徴としている。
【０００７】
本手段では、口筒部の外面及び安全蓋の内面の対応箇所に、上下方向への案内溝とこの案内溝によって案内されるスライド凸部とを形成し、案内溝の長手方向の一部を蛇行部とすることで、幼い子供が容易に開けることができないように設計することを提案している。すなわち、スライド凸部が上記蛇行部２４に沿って摺動するように安全蓋を前後に操作しながら、上昇させなければ安全蓋を外すことができない。
【０００８】
「口筒部」は、安全蓋を前後方向へスライド可能に保持する機能を有する。安全蓋とのスライド面を形成するために、左右一対の平行な側壁部を備える。後述の図示例では、口筒部を横断面長方形状に形成しているが、平行な側壁部を有する限り、どのような形状としても構わない。
【０００９】
「案内溝」は、スライド凸部と協動して、安全蓋の動きを規制する機能を有する。つまり、チャイルドプルーフ機能を持たせるべく、案内溝に沿った動きで安全蓋を前後し、かつ引き上げる動作をしなければあけることができない。幼い子供はその構造を理解できないので蓋をあけることができない。後述の好適な図示例では、案内溝の各部の巾をスライド凸部のサイズにフィットするように形成することで、所定の方向以外にはスライド凸部が動かないようにしている。案内溝は、一つでもよいが、２つの側壁部の両方に形成することが望ましい。
【００１０】
「蛇行部」は、前後方向に、すなわち案内溝の両サイド方向にほぼジグザク状に折り返しており、少なくとも一つ、好ましくは２つ以上の折り返し部を有し、子供が悪戯しても蓋が開き難いように形成する。ジグザク状といってもいろいろ形状があるが、図示例のように水平部分と折り返し部とが交互に繰り返す形が良好である。幼い子供は、安全蓋を開こうとするときには、単純に垂直に引き上げようとするので、上記水平部分にスライド凸部がひっかかって引き上げることができない。しかしながら必ずしも図示の構造には限定されない。
【００１１】
「スライド凸部」は、案内溝内に嵌合され、蛇行部を“道なり”にスライドさせないと安全蓋を開けることができないように形成されている。後述の好適な図示例では、スライド凸部の横巾を案内溝の垂直部分（蛇行部の折り返し部を含む）の横巾に、またスライド凸部の縦巾を、上記蛇行部の水平部分の縦巾に一致させるようにしている。このようにすると、安全蓋を動かすことができる自由度が少なくなるので、子供にとって蓋をあけることがますます難しくなる。
【００１２】
第２の手段は、第１の手段を有し、かつ
上記案内溝２０は、長手方向の下端部２２ａを垂直方向への直溝状とするとともに、この下端部と連続して上記蛇行部２４を形成し、
案内溝２０の下端部２２ａ内にスライド凸部４２を嵌合させたときに、上記安全蓋３２が口筒部８の下部にフィットするように構成している。
【００１３】
本手段では、案内溝の下端部を直溝状とし、この下端部内にスライド凸部が嵌合したときに、上記安全蓋が口筒部の下部にフィットする構成を提案している。こうすることで、口筒部に対する安全蓋のガタ付きを防止することができる。なお、”直溝状“とは真直ぐな溝の形状という程度の意味である。また、“安全蓋が口筒部の下部にフィットする”とは、安全蓋が口筒部に対してガタつかない程度に対応した形状を有していれば足りるものとする。
【００１４】
第３の手段は、第1の手段又は第２の手段を有し、かつ
上記口筒部８の前壁部１８及び後壁部１９に比べて上記側壁部１６を巾広とするとともに、それら前壁部１８及び後壁部１９の一方に、少なくとも上記蛇行部２４の前後方向への蛇行巾ｄと同じだけ段差状に内方へ凹ませた凹み部２８を形成し、
この凹み部の段差面３０の高さを、安全蓋３２の下端が段差面と等高となるまで安全蓋３２を引き上げたときに、上記スライド凸部４２が案内溝の下端部２２ａを経て蛇行部２４内に入るように設計している。
【００１５】
本手段では、口筒部の前壁部及び後壁部の一方に、内方へ段差状にへこむ凹み部を形成することを提案している。この凹み部は、例えば本願図６（ａ）→図６（ｂ）に示すように、安全蓋を前方へ移動させるときに、安全蓋の後部が前進するためのスペース（移動代）をつくるものである。
【００１６】
第４の手段は、第２の手段又は第３の手段を有し、かつ
上記口筒部８の外面と、上記安全蓋３２の内面の対応箇所とに、閉蓋時に相互に係合して閉蓋状態を保持するための係合手段２６、４４を形成し、
これら係合手段２６、４４の位置を、上記スライド凸部４２が蛇行部２４から案内溝下端部２２ａ内に入ったときに、係合手段２６、４４同士が係合するように設計している。
【００１７】
本手段では、口筒部の外面と安全蓋の内面に閉蓋状態保持用の係合手段を形成している。これら係合手段は、相互に嵌め合わせるときに、かちりと嵌り合う感触（クリック感）を生じるようにすることができる。これにより、利用者は安全蓋を確実に閉じたことが分かり、安心して使用することができる。後述の図示例では、口筒部の外面の相対する２箇所に一対の第１の係合手段を、安全蓋の内面の対応箇所に一対の第２の係合手段を設けている。さらに図示例では、口筒部側の係合手段及び安全蓋側の係合手段を、それぞれ凸状の係合手段としているが、凸状の係合手段と凹状の係合手段としてもよい。
【発明の効果】
【００１８】
第１の手段に係る発明によれば、案内溝２０の長手方向一部を、前後方向に曲がる蛇行部２４として、蛇行部に沿ってスライド凸部４２を摺動させないと開けられないようにしたから、子供が容易に開けることができない。
【００１９】
第２の手段に係る発明によれば、案内溝２０の直溝状の下端部２２ａ内にスライド凸部４２を嵌合させたときに、上記安全蓋３２が口筒部８の下部にフィットするから、口筒部８に対して安全蓋３２がガタ付くことを防止できる。
【００２０】
第３の手段に係る発明によれば、口筒部８の前後両壁部に比べて側壁部１６を巾広としたから、案内溝２０の前後方向への蛇行巾ｄを十分に確保することができる。また、その前後両壁部の一方に、少なくとも上記蛇行部２４の前後方向への蛇行巾ｄと同じだけ内方へへこむ凹み部２８を形成したから、口筒部８へフィット可能な安全蓋３２の構造でも、安全蓋の前後動を確実とすることができる。
【００２１】
第４の手段に係る発明によれば、口筒部８の外面と安全蓋３２の内面の対応箇所に係合手段２６、４４を形成したから安全蓋の上方抜け出しを防止できる。
【発明を実施するための最良の形態】
【００２２】
以下、図面に基づいて本発明の実施形態に係る安全蓋付き容器を説明する。この安全蓋付き容器は、容器体２と安全蓋３２とで形成している。これら各部材は合成樹脂で形成することができる。
【００２３】
容器体２は、粒状物の収納に適した前後方向に長い箱形の胴部６下端に底部４を有し、かつ胴部６の上端から口筒部８を起立している。図示例の底部４は、底部からの内容物の充填を可能にするため、胴部６及び口筒部８とは別体として、胴部６に対して着脱可能に形成している。
【００２４】
上記口筒部８は、横断面長方形で前後に長い筒壁１０と、この筒壁の上端面のうちの一部（図示例では前部）を除いて閉塞する頂壁１２とで形成する。そして筒壁の上端面の一部を口部１４とすることで、適数の粒状物を取り出し易いようにしている。
【００２５】
上記口筒部８の筒壁１０の左右側壁部１６には、前後巾方向の中間に案内溝２０を縦設する。この案内溝２０は、図４に示すように下端部２２ａ及び上端部２２ｂが垂直方向への直溝状とし、長手方向中間部の部分を、ジグザグ状に前後に蛇行する蛇行部２４に形成している。図示の蛇行部は水平部分２４ａとほぼ垂直な折り返し部分２４ｂとを繰り返している。
【００２６】
上記口筒部８の筒壁１０の前壁部１８及び後壁部１９の各下部外面には、一対の第１の係合手段２６を形成する。図示例では、この係合手段を横リブに形成しているが、必ずしもこうした形状でなくても構わない。さらに第１の係合手段よりも上方の筒壁の後壁部１９部分には、口筒部の内方へ段差状にへこむ凹み部２８を形成する。図４に示す如く、この凹み部２８の内方への陥没長さＤは、上記蛇行部が左右に蛇行する巾ｄと同じ巾か又は大きく形成する。また凹み部２８の段差面３０の高さは、図１に示すように口筒部８へ安全蓋３２をフィットした状態で、安全蓋下端から段差面までの高低差ｈ１が後述のスライド凸部から蛇行部までの高低差ｈ２と同じ高さ又は小さくなるように設計する。
【００２７】
安全蓋３２は、天板３４から横断面長方形状の蓋周壁３６を垂下している。この周壁の少なくとも下部は、上記口筒部の下部にフィットするように形成されている。さらにこの蓋周壁３６の長辺相当部分３８の下部内面には、図２及び図５に示す通り、上記案内溝への挿入用のスライド凸部４２を付設する。図示例では、このスライド凸部４２は、横長のリブ状であって、その上下巾は、案内溝の水平部分の上下巾にほぼ等しい。また、スライド凸部の横巾は、上記案内溝２０の下端部２２ａ及び上端部２２ｂ並びに折り返し部分２４ｂの横巾とほぼ等しい。従って意識してスライド凸部４２を案内溝に対して道なりに動かさない限り、安全蓋４２を開蓋することは難しい。さらに例えば図３に示すように、上記蓋周壁３６の両短辺相当部分４０の下部内面には、一対の凸状の第２の係合手段４４を付設して、これら係合手段４４が口筒部側の第１の係合手段２６の下面に係合することが可能に形成する。この係合手段４４も横リブ状に形成することができる。図示例では、第１、第２の係合手段２６、４４を、口筒部８の筒壁及び安全蓋の蓋周壁の長辺側の下部に形成しているが、例えばそれら筒壁及び蓋周壁の短辺側の対向箇所に形成しても構わない。
【００２８】
上記構成において、図１の状態では、第１、第２の係合手段２６、４４が相互に係合して安全蓋の閉蓋状態を保持している。この状態から、一方の手で容器体２を支え、他方の手で安全蓋３２をつかんで引き上げると、図６（ａ）の如く第１、第２の係合手段２６、４４が離脱するとともに、スライド凸部４２が蛇行部２４の下から１段目の水平部分２４ａの上縁に突き当たり、引き上げ動作に抵抗する。そこで利用者が安全蓋３２を前方へ移動すると、スライド凸部４２は上記１段目の水平部分２４ａ内を前進し、図６（ｂ）の如く下から１番目の折り返し部分２４ｂの前縁に突き当たる。そこで利用者が安全蓋３２を引上げると、スライド凸部４２は蛇行部の折り返し部分２４ｂを上昇し、下から２段目の水平部分２４ａの上縁に突き当たる。さらに利用者が安全蓋３２を後退させると、図６（ｃ）に示すように下から２番目の折り返し部分２４ｂの後縁に突き当たる。このように垂直又は水平方向の一方へ安全蓋を移動させ、突き当たったら他方へ移動する操作を繰り返すと、スライド凸部４２が蛇行部を通過して、図６（ｄ）の如く案内溝の上端部２２ｂから上方に離脱する。これにより安全蓋を取り外すことができる。薬剤を誤飲する可能性のある幼い子供にとっては、上述のような複雑な操作を行うことが困難であるため、悪戯による誤飲を防止することができる。
【００２９】
次に安全蓋３２を再嵌合するときには、上記と逆の順序で図６（ｄ）→図６（ｃ）→図６（ｂ）→図６(ａ)→図１のように容器体２に対して安全蓋３２を動かせばよい。この手順の最後の段階で安全蓋側の第２係合手段４４が口筒部側の第１係合手段２６を乗り越えて第２係合手段４４の下面に嵌合する。この嵌合時の感触を利用者が感じることで、安全蓋が完全に閉塞したことが判る。
【図面の簡単な説明】
【００３０】
【図１】本発明の実施形態に係る安全蓋付き容器の縦断面図である。
【図２】図１容器のＡ−Ａ線方向の横断面図である。
【図３】図１容器の分解斜視図である。
【図４】図１容器の容器体の側面図である。
【図５】図１容器の安全蓋の縦断面図である。
【図６】図１容器の開蓋行程の説明図である。
【符号の説明】
【００３１】
２…容器体  ４…底部  ６…胴部  ８…口筒部  １０…筒壁  １２…頂壁
１４…口部  １６…側壁部  １８…前壁部  １９…後壁部
２０…案内溝  ２２ａ…同下端部  ２２ｂ…同上端部  ２４…蛇行部
２４ａ…水平部分  ２４ｂ…折り返し部分  ２６…第１係合手段  ２８…凹み部  
３０…段差面  ３２…安全蓋  ３４…天板  ３６…蓋周壁
３８…同長辺相当部分  ４０…同短辺相当部分  ４２…スライド凸部
４４…第２係合手段
【図１】
2010083513.tif 000003
【図２】
2010083513.tif 000004
【図３】
2010083513.tif 000005
【図４】
2010083513.tif 000006
【図５】
2010083513.tif 000007
【図６】
2010083513.tif 000008